(57)【要約】【課題】簡単な構成で、椅子の座面部、背凭れ部の張設作業時に、メッシュシートの端部を、メッシュシートの端部が固定されるフレームに沿ってきれいに固定することができ、かつメッシュシートにテンションが加わった椅子を提供する。【解決手段】（ａ）メッシュシートＭが固定される支持部材２１ａ、２１ｂの固定箇所に、メッシュシートＭの端部を、支持部材２１ａ、２１ｂの形状に沿うように、メッシュシートＭが緩んだ状態で固定する工程、（ｂ）メッシュシートＭにより覆われた支持部材２１ａ、２１ｂとメッシュシートＭの裏面との間に、テンション付与部材３が挿入されて、メッシュシートＭにテンションが加えられる工程、および（ｃ）テンション付与部材３を固定手段Ｆにより、支持部材２１ａ、２１ｂに固定する工程を備える。。【選択図】図１
2013094571.tif 000002
【特許請求の範囲】
【請求項１】
メッシュシートおよび該メッシュシートを支持する支持部材とを有する椅子において、前記支持部材を覆うようにして前記メッシュシートを張設するメッシュシートの張設方法であって、
（ａ）前記メッシュシートが固定される支持部材の固定箇所に、前記メッシュシートの端部を、前記支持部材の形状に沿うように、前記メッシュシートが緩んだ状態で固定する工程、
（ｂ）前記メッシュシートにより覆われた支持部材と前記メッシュシートの裏面との間に、
テンション付与部材が挿入されて、前記メッシュシートにテンションが加えられる工程、および
（ｃ）前記テンション付与部材を固定手段により、前記支持部材に固定する工程
とを備えることを特徴とするメッシュシートの張設方法。
【請求項２】
メッシュシートおよび該メッシュシートを支持する支持部材とを有し、前記支持部材を覆うようにして前記メッシュシートが張設された椅子であって、
前記メッシュシートの端部が、前記メッシュシートが固定される支持部材の固定箇所に、前記支持部材の形状に沿うように固定され、
前記メッシュシートにより覆われた支持部材と、前記メッシュシートの裏面との間に、
テンション付与部材が挿入されて、前記メッシュシートにテンションが加えられ、
前記テンション付与部材が、固定手段により前記支持部材に固定されることを特徴とする椅子。
【発明の詳細な説明】
【技術分野】
【０００１】
本発明は、簡単な構成で、椅子の座面部、背凭れ部の張設作業時に、メッシュシートの端部を、メッシュシートの端部が固定されるフレームに沿ってきれいに固定することができ、かつメッシュシートにテンションが加わった椅子を提供することができるメッシュシートの張設方法および椅子に関する。
【背景技術】
【０００２】
従来、特許文献１に示すような背凭れやシート部に、メッシュシートが張設された椅子が知られている。このようなメッシュシートが張設された椅子は、構造が簡単であり、軽量で持ち運びに便利であり、通気性に優れているため快適に使用できる。このような理由から近年ますます需要が高まりつつある。このようなメッシュシートが張設された椅子は、一般的に、椅子の左右一対のフレームにメッシュシートの端部を巻きつけ、メッシュシートが巻きつけられる材料に応じて、ステープラやリベットなどの固定手段により、左右一対のフレームに固定される。
【先行技術文献】
【特許文献】
【０００３】
【特許文献１】特開２００１−８７８５号公報
【発明の概要】
【発明が解決しようとする課題】
【０００４】
椅子にメッシュシートを張設する際には、椅子に張設されるメッシュシートの長さの分だけ、メッシュシートを所望の大きさにカットし、その所望の大きさにカットされたメッシュシートを椅子のフレームに巻きつけて固定することが望ましいが、メッシュシートが張設されたときにテンションがかかった状態でメッシュシートをフレームに張設することは非常に困難である。すなわち、メッシュシートの一方の端部をステープラやリベットにより一方のフレームの形状に沿った状態で固定し、その後メッシュシートにテンションをかけるように引っ張りながら、他方のフレームに固定する必要があるため、メッシュシートを引っ張ること、および固定手段により固定することの両方を一度に行なわなければならない。そのため、メッシュシートの引っ張りが甘くなってしまうと、メッシュシートが張設されたときにテンションがかからずに、メッシュシートが弛んだ状態で張設されてしまい、椅子の座り心地が悪くなってしまう。また、メッシュシートの両端部の固定箇所において、メッシュシートの長さが所望の位置まで届かずに、固定箇所の見栄えが悪くなってしまう。
【０００５】
さらに、メッシュシートの一方の端部を、メッシュシートを固定する椅子のフレームに固定した後、メッシュシートを引っ張りながら、他方の端部をフレームに固定しなければならないため、図１２（ａ）に示すように、メッシュシートＭの端部が、フレーム１００に沿って一直線に固定されず、斜めになってしまったり、図１２（ｂ）に示すように、メッシュシートＭを引っ張りながら固定することにより、メッシュシートＭにしわが入ってしまった状態で固定されてしまい、見栄えが悪いだけでなく、メッシュシートＭの張りなおし作業が必要になるという問題が生じていた。
【０００６】
また、メッシュシートを引っ張りながら、フレームに固定しなければならないので、メッシュシートをフレームに沿ってきれいに一直線に固定することは、一人で作業する場合、非常に困難であった。
【０００７】
そこで、本発明は上記問題に鑑みて、簡単な構成で、椅子の座面部、背凭れ部の張設作業時に、メッシュシートの端部を、メッシュシートの端部が固定されるフレームに沿ってきれいに固定することができ、かつメッシュシートにテンションが加わった椅子を提供することを目的とする。
【課題を解決するための手段】
【０００８】
本発明のメッシュシートを張設する方法は、メッシュシートおよび該メッシュシートを支持する支持部材とを有する椅子において、前記支持部材を覆うようにして前記メッシュシートを張設するメッシュシートの張設方法であって、（ａ）前記メッシュシートが固定される支持部材の固定箇所に、前記メッシュシートの端部を、前記支持部材の形状に沿うように、前記メッシュシートが緩んだ状態で固定する工程、（ｂ）前記メッシュシートにより覆われた支持部材と前記メッシュシートの裏面との間に、テンション付与部材が挿入されて、前記メッシュシートにテンションが加えられる工程、および（ｃ）前記テンション付与部材を固定手段により、前記支持部材に固定する工程とを備えることを特徴とする。
【０００９】
また、本発明の椅子は、メッシュシートおよび該メッシュシートを支持する支持部材とを有し、前記支持部材を覆うようにして前記メッシュシートが張設された椅子であって、前記メッシュシートの端部が、前記メッシュシートが固定される支持部材の固定箇所に、前記支持部材の形状に沿うように固定され、前記メッシュシートにより覆われた支持部材と、前記メッシュシートの裏面との間に、テンション付与部材が挿入されて、前記メッシュシートにテンションが加えられ、前記テンション付与部材が、固定手段により前記支持部材に固定されることを特徴とする。
【発明の効果】
【００１０】
本発明によれば、簡単な構成で、椅子の座面部、背凭れ部の張設作業時に、メッシュシートの端部を、メッシュシートの端部が固定されるフレームに沿ってきれいに固定することができ、かつメッシュシートにテンションが加わった椅子を提供することができる。
【図面の簡単な説明】
【００１１】
【図１】本発明のメッシュシートが張設された椅子を示す斜視図である。
【図２】本発明のメッシュシートが張設された背凭れ部が設けられた椅子を示す斜視図である。
【図３】本発明に用いられる略Ｌ字状のテンション付与部材を示す斜視図である。
【図４】図３におけるＡ−Ａ線断面図である。
【図５】（ａ）および（ｂ）は、本発明に用いられる略Ｌ字状のテンション付与部材の他の実施の形態を示す図である。
【図６】本発明に用いられるメッシュシートを説明するための図である。
【図７】本発明において、必要なメッシュシートの長さを説明するための支持部材の寸法を示す図である。
【図８】（ａ）および（ｂ）は、本発明のメッシュシートの張設方法における、メッシュシートの一端を固定する工程を説明するための図である。
【図９】（ａ）および（ｂ）は、本発明のメッシュシートの張設方法における、メッシュシートの他端を固定する工程を説明するための図である。
【図１０】本発明のメッシュシートの張設方法において、テンション付与部材を挿入する様子を示す図である。
【図１１】本発明のメッシュシートの張設方法において、テンション付与部材を固定する様子を示す図である。
【図１２】本発明の椅子に用いられる、テンション付与部材の他の実施の形態を示す図である。
【図１３】本発明の椅子に用いられる、テンション付与部材の他の実施の形態の断面図である。
【図１４】本発明の椅子に用いられる、テンション付与部材のさらに他の実施の形態を示す図である。
【図１５】本発明の椅子に用いられる、テンション付与部材のさらに他の実施の形態の断面図である。
【図１６】（ａ）および（ｂ）は、従来のメッシュシートの張設方法を説明するための図である。
【発明を実施するための形態】
【００１２】
以下、添付図面を参照し、本発明のメッシュシートの張設方法およびメッシュシートが張設された椅子を実施の形態に基づいて説明するが、本発明は下記の実施の形態のみに限られるものではない。
【００１３】
実施の形態１
図１に示されるように、椅子１には、人が座るための座面部Ｓ１に略平行に設けられた一対の支持部材２１ａ、２１ｂにメッシュシートＭが張設されている。また、図２に示す椅子１１は、座面部Ｓ１だけでなく、背凭れ部Ｓ２を有し、座面部Ｓ１の一対の支持部材２１ａ、２１ｂおよび背凭れ部Ｓ２の一対の支持部材２２ａ、２２ｂにメッシュシートＭが張設されている。メッシュシートＭは、椅子の座面部Ｓ１または背凭れ部Ｓ２として、人の重量を支えることができるものであれば、その材料は特に限定されるものではないが、例えば、ポリエステル繊維を編んだものの表面を、ウレタン樹脂でコーティングしたものを用いることができる。支持部材２１ａ、２１ｂ、２２ａ、２２ｂ（以下、支持部材を総称して用いる場合、参照符号２１を用いる）はメッシュシートＭを支持するものであり、図１および２においては、断面矩形状の柱状の部材として示し、図５においては、断面円形の部材として示されているが、支持部材２１は、後述するテンション付与部材３を取り付けることができるものであれば、特にその形状は限定されるものではない。すなわち、断面が矩形状、円形の支持部材２１に限られず、断面が楕円形のもの、断面多角形のもの、支持部材２１の一部に凹凸が形成されているもの等であっても可能である。
【００１４】
図１および図２において、座面部Ｓ１の一対の支持部材２１ａ、２１ｂは、椅子１、１１の左右方向（人が座ったときに、人の左右方向となる方向）に配設され、当該一対の支持部材２１ａ、２１ｂは、椅子１、１１の前後方向に設けられた当該支持部材２１ａ、２１ｂを連結する連結部材２３ａ、２３ｂにより連結されている。また、図２において、椅子１１の背凭れ部Ｓ２の一対の支持部材２２ａ、２２ｂは、連結部材２４により連結されている。図１および２において、連結部材２３ａ、２３ｂ、２４は、支持部材２１ａ、２１ｂ、２２ａ、２２ｂを連結する、支持部材２１、２２に対して垂直に配設された棒状の部材として示されているが、連結部材２３ａ、２３ｂ、２４は、支持部材２１を連結することができるものであれば、その形状や取り付け角度、本数等は、図１および２に示す形状に限定されるものではない。すなわち、板状の部材により一対の支持部材２１、２２を連結してもよいし、強度が確保できれば、１本の棒状の連結部材としてもよいし、３本以上の連結部材を設けてもよい。また、支持部材２１、２２に対して斜めに取り付けられたものや、Ｘ字状に連結部材を設けてもよい。また、図１および２に示す実施形態では、支持部材２１として直線状のものを用いているが、支持部材２１が湾曲したものや、支持部材２１が椅子１の上面視で全体として環状（円形）または多角形状に形成され、その環状または多角形状の支持部材２１にメッシュシートＭを張設するものであってもよい。メッシュシートＭの端部は、メッシュシートＭが固定される支持部材２１の固定箇所に、支持部材２１の形状に沿うように固定される。したがって、図１および図２に示すように、支持部材２１が直線状の場合は、メッシュシートＭの端部が直線状の支持部材２１に沿って固定され、支持部材２１が全体として環状に形成されている場合は、環状の支持部材２１に沿ってメッシュシートＭの固定箇所も環状（円形）となり、メッシュシートＭの端部は、環状に固定される。
【００１５】
また、椅子１、１１の脚については、図１および２においては、略Ｕ字状の２組の脚部Ｌ１、Ｌ２が設けられているが、椅子１、１１を支持できるものであれば、どのような形状、本数、取付位置であってもよく、図１および２に示す態様に限定されるものではない。また、図２において、支持部材２１ａ、２１ｂと支持部材２２ａ、２２ｂとは一体として示されているが、別体として固定されてもよい。
【００１６】
また、図１および２に示すように、張設されたメッシュシートＭの裏面と支持部材２１、２２との間には、断面略Ｌ字状の細長いテンション付与部材３が挿入されており、メッシュシートＭにテンションを加えている。テンション付与部材３は、図３に示すように、椅子１、１１の支持部材２１、２２に沿って配置できるように、細長く形成されており、図４に示すように、断面が略Ｌ字状になるように形成されている。これにより、テンション付与部材３を支持部材２１に沿って配置したときに、支持部材２１と一体化し、見た目の違和感を無くし、見栄えをよくすることができる。
【００１７】
また、図４に示すように、テンション付与部材３は、メッシュシートＭの裏面と支持部材２１との間に挿入される挿入部３１を有している。挿入部３１は、支持部材２１の上面と当接して、挿入されたときにぐらつかないように、平坦な細長い板状である。図４に示す実施形態では、挿入部３１の先端側が細くなるように形成されている。テンション付与部材３の挿入部３１の先端側が細くなるように形成されていることにより、テンション付与部材３を、メッシュシートＭと支持部材２１との間にスムーズに挿入することができる。また、テンション付与部材３は、支持部材２１の形状に沿ってガイドするガイド部３２を備えている。ガイド部３２は、挿入部３１の長手方向に沿って設けられ、挿入部３１の長手方向に沿った一方の側部（図４における挿入部３１の左側）から、支持部材２１の形状に沿うように一方向（椅子１における下方向）に突出して延びている。ガイド部３２と挿入部３１によりテンション付与部材３は、断面が略Ｌ字状の部分を形成する。なお、断面が略Ｌ字状とは、図４に示すような、ガイド部３２と挿入部３１とによりなす角度がほぼ直角である必要はなく、支持部材２１の外形形状に合わせてガイド部３２と挿入部３１とのなす角度は適宜変更が可能である。
【００１８】
また、テンション付与部材３は、例えば支持部材２１の断面形状が円形の場合は、図５（ａ）に示すように、支持部材２１の形状に応じて、テンション付与部材３の支持部材２１との当接箇所（挿入部３１の下面側からガイド部３２の内側にかけて）を、湾曲させて支持部材２１の外周の形状に沿った形状とすることにより、断面が円形の支持部材２１にも取り付けることができる。図５（ａ）に示す実施形態では、テンション付与部材３の挿入部３１の自由端側に向かって次第に細くなるように構成し、挿入部３１の自由端全体が、断面円形の支持部材２１の外形形状に沿うように湾曲している。図５（ａ）に示す実施の形態のテンション付与部材３は、断面円形の支持部材２１にテンション付与部材３を沿わせた後、図５（ａ）に参照符号Ｘで示す方向に力を加えることにより、テンション付与部材３を断面円形の支持部材２１の外周に沿って滑らせるように回転させて、図５（ａ）に示すように、メッシュシートＭと支持部材２１との間に挿入して、メッシュシートＭにテンションをかけることができる。また、図５（ｂ）に示すように、テンション付与部材３の支持部材２１との当接箇所を支持部材２１の外周の形状に沿って湾曲させて、テンション付与部材３の自由端側を直線状に延ばし、テンション付与部材３を、メッシュシートＭと支持部材２１との間に水平方向（図５（ｂ）中、左から右方向）に挿入するものであってもよい。このように、テンション付与部材３の断面略Ｌ字状とは、図３および４に示す形状に限られるものではなく、図５（ａ）および（ｂ）に示すように、一部湾曲したものも当然に含まれ、支持部材２１と当接する部分が支持部材２１に対応する形状を呈したものや、支持部材２１と当接しない箇所が湾曲していてもよい。また、後述する実施形態のように、ガイド部３２と挿入部３１とを有する断面略Ｌ字状の部分が少なくとも形成されていればよく、ガイド部３２および挿入部３１に加えて他の部材が追加されたものも含む。
【００１９】
支持部材２１と、メッシュシートＭの裏面との間にテンション付与部材３が挿入された椅子１は、テンション付与部材３を支持部材２１に固定するために、固定手段Ｆにより固定される。図１および図２に示す実施形態では、固定手段Ｆとしてネジを用いているが、テンション付与部材３と支持部材２１とが外れないように固定できるものであれば、接着剤や釘、固定クリップ等他の固定手段Ｆを用いることもでき、ネジに限定されるものではない。なお、固定手段Ｆとして、ネジや釘等、テンション付与部材３が支持部材２１側に近づくように固定するようにすれば、たとえばネジを固定する方向に回すことにより、テンション付与部材３が支持部材２１側に押し込まれ、メッシュシートＭのテンションをより高めることができる。
【００２０】
以下、図６〜１１を用いて、本発明のメッシュシートＭの張設方法を、図１に記載された椅子１のメッシュシートＭの張設方法を例にあげて説明する。なお、図２に記載された椅子１１の背凭れ部Ｓ２におけるメッシュシートＭの張設方法については、基本的に座面部Ｓ１におけるメッシュシートＭの張設方法と同じであるので、説明は省略する。
【００２１】
まず、図６に示すように、メッシュシートＭを予め所望の長さＤ１にカットする。ここで、メッシュシートＭの長さＤ１は、メッシュシートＭを支持部材２１に固定しやすいように、メッシュシートＭの両端部を折り返す場合は、折り返した後の長さをいう。このメッシュシートＭの長さＤ１は、左右両側の支持部材２１ａ、２１ｂに巻きつけられるメッシュシートの長さの合計（２×Ｄ３＋４×Ｄ４。Ｄ３は支持部材２１の側面の高さ、Ｄ４は、支持部材２１の上面および下面の幅。図７参照）と、支持部材２１ａ、２１ｂ間の距離（Ｄ２）との合計（（Ｄ２）＋（２×Ｄ３）＋（４×Ｄ４））よりも少々長くなるようにカットされる。すなわち、メッシュシートＭの両端が支持部材２１に固定されたときに、弛んだ状態となるような長さ（Ｄ１＞（Ｄ２）＋（２×Ｄ３）＋（４×Ｄ４））にカットされる。なお、本実施の形態では、図８（ａ）および（ｂ）に示すように、メッシュシートＭの端部を支持部材２１ａ、２１ｂの下面側を全て覆うように、支持部材２１ａ、２１ｂの下面における内側端部と、メッシュシートＭの端部とが丁度重なるように巻きつけられて固定されているが、メッシュシートＭの端部の固定位置は、図８（ａ）および（ｂ）に示す位置に限定されず、メッシュシートＭの端部の固定位置を、支持部材２１ａ、２１ｂの側面２１ｓ（図８（ａ）参照）とする場合であっても、メッシュシートＭのカット長さＤ１は、支持部材２１ａ、２１ｂに巻き付けられる長さと支持部材２１ａ、２１ｂ間の距離との合計よりも少々大きければよい。
【００２２】
つぎに、メッシュシートＭの端部のうち一方の端部Ｍ１を、支持部材２１ａに固定する。このとき、図８（ａ）および（ｂ）に示すように、メッシュシートＭの一方の端部Ｍ１と、支持部材２１ａの下面における内側端部とが、支持部材２１ａの長さ方向に平行になるか、丁度重なるように（一致するように）固定することにより、椅子１、１１の見栄えをよくすることができる。なお、メッシュシートＭの支持部材２１への固定は、ステープラ、リベット、接着剤等、公知の手段により固定することが可能であり、特にその固定方法は限定されない。
【００２３】
つぎに、メッシュシートＭのもう一方の端部（他方の端部）Ｍ２を他方の支持部材２１ｂに固定する（図９（ａ）および（ｂ）参照）。このとき、メッシュシートＭの長さＤ１は、支持部材２１ａ、２１ｂに巻き付けられる長さと、支持部材２１ａ、２１ｂ間の距離よりも長くなるようにカットされているので、図９（ａ）に示すようにメッシュシートＭは、支持部材２１ａ、２１ｂとの間でわずかに弛んだ状態で張設されている。したがって、図９（ｂ）に示すように、メッシュシートＭの他方の端部Ｍ２を、メッシュシートＭを引っ張りながら固定する必要がなくなる。したがって、メッシュシートＭの他方の端部Ｍ２を、支持部材２１ｂの長さ方向に沿って、平行かつきれいに固定することができる。したがって、メッシュシートＭの端部Ｍ１、Ｍ２を両側ともバランス良く、かつ見栄えよく固定することができる。
【００２４】
つぎに、図１０および１１に示すように、弛んだ状態で配設されたメッシュシートＭの裏面と、支持部材２１との間に、図３および４に示す断面略Ｌ字状のテンション付与部材３を挿入する。テンション付与部材３をメッシュシートＭと支持部材２１との間に挿入することにより、簡単にメッシュシートＭの弛み部分を伸張させ、椅子１の座面部のメッシュシートＭをピンと張ることができる。これにより、メッシュシートＭを支持部材２１に簡単にバランス良く、固定することができるとともに、簡単にメッシュシートＭにテンションを加えることができる。したがって、従来では難しかったメッシュシートＭの張設時にテンションがかかった状態で、メッシュシートＭを支持部材２１に対してきれいにバランス良く固定することが、本発明のメッシュシートの張設方法により、簡単に実現することができる。また、従来一人では難しかった張設作業を、たった一人でも行なうことができるようになる。なお、テンション付与部材３は、本実施の形態によれば、支持部材２１ａ、２１ｂの両方に取り付けられているが、必ずしも両側にテンション付与部材３を設ける必要はなく、片側の支持部材２１だけに取り付けてもよい。
【００２５】
テンション付与部材３は、支持部材２１に、ネジや釘、接着剤、バネクリップ等、公知の固定手段Ｆにより固定することができるが、図１１に示すように、テンション付与部材３により、メッシュシートＭの弛みを除去して、メッシュシートＭにテンションが加わったあと、ネジや釘などの固定手段Ｆにより、テンション付与部材３を、支持部材２１側にさらに近づくように固定することにより、単にテンション付与部材３を固定するだけでなく、テンション付与部材３の挿入部３１がさらに奥まで挿入されるので、より一層メッシュシートＭの弛みを取り、メッシュシートＭにテンションをかけることができる。
【００２６】
実施の形態２
図１２および図１３に他の実施形態のテンション付与部材３を用いた椅子１を示す。なお、椅子１の全体の構成については、実施の形態１と同様にすることが可能であるため、説明は省略する。
【００２７】
図６に示す実施の形態では、テンション付与部材３および支持部材２１の形状が異なる以外、他の構成は基本的には同じであるため、説明は繰り返さない。テンション付与部材３は、支持部材２１の上面に沿って設けられる挿入部３１を有する。本実施の形態における挿入部３１は、実施の形態１と同様に、支持部材２１の上面に沿った形状を呈しており、図１２および図１３では、細長い平坦な板状を呈している。挿入部３１の幅方向中央部には、テンション付与部材３の長手方向に沿って、ガイド部３２が形成されている。一方、支持部材２１の上面には、ガイド部３２に対応する形状のレール状の溝２１Ｇが形成され、ガイド部３２がガイドされる。
【００２８】
実施の形態１においては、テンション付与部材３を、支持部材２１の内側から取り付けていたが、本実施の形態においては、支持部材２１の長手方向の端部側における溝２１Ｇの端部から、ガイド部３２を差し込むようにテンション付与部材３を挿入する。支持部材２１に形成された溝２１Ｇに沿ってテンション付与部材３の挿入部３１を支持部材２１の上面とメッシュシートＭの裏面との間に挿入することにより、メッシュシートＭにテンションを加えることができる。
【００２９】
支持部材２１に溝２１Ｇを設け、溝２１Ｇに沿ってテンション付与部材３のガイド部３２をガイドさせて、テンション付与部材３を支持部材２１に取り付けることにより、図１２に示すメッシュシートＭが緩んだ状態から、図１３に示すように、容易にメッシュシートＭにテンションを加えることができる。また、ガイド部３２が溝２１Ｇにガイドされることにより、ガイド部３２自体が固定手段となり、ネジなどの他の固定手段が不要になる。勿論、本実施の形態においても、ネジや接着剤など他の固定手段を併用することも可能である。
【００３０】
なお、本実施の形態においては、支持部材２１に溝２１Ｇを設けているが、溝２１Ｇの位置は、図１２および図１３に示すように支持部材２１の幅方向中央部に形成されるものに限らず、支持部材２１の側部側（図１３の支持部材２１における左側または右側）に溝２１Ｇがずれたものであっても構わない。また、図１３に示す支持部材２１は直線状に形成されているが、ガイド部３２がガイドされながら、支持部材２１の溝２１Ｇ内を移動できるものであれば、支持部材２１は湾曲していても構わない。また、ガイド部３２の挿入部３１からの突出長さは、適宜変更が可能であり、特にその長さは限定されない。
【００３１】
実施の形態３
図１４および図１５に示す実施の形態は、テンション付与部材３を用いた椅子１のさらに他の実施の形態である。なお、椅子１の全体の構成については、実施の形態１と同様にすることが可能であるため、説明は省略する。
【００３２】
図１４および図１５に示す実施の形態では、挿入部３１およびガイド部３２に加え、さらに、ガイド部３２に対向し、かつガイド部３１に対して平行に設けられた第２のガイド部３３が形成され、図１５に示すように、テンション付与部材３の全体として断面が凹字状（もしくはコ字状）を呈している。
【００３３】
本実施の形態における挿入部３１は、実施の形態１と同様に、支持部材２１の上面に沿った形状を呈しており、図１４および図１５では、細長い平坦な板状を呈している。挿入部３１の幅方向両側には、テンション付与部材３の長手方向に沿って、ガイド部３２と第２のガイド部３２が平行に設けられ、支持部材２１をガイド部３２と第２のガイド部３３により挟み込むように形成されている。
【００３４】
実施の形態１においては、テンション付与部材３を、支持部材２１の内側から取り付けていたが、本実施の形態においては、支持部材２１の長手方向端部側から、ガイド部３２を差し込むようにテンション付与部材３を挿入する。テンション付与部材３の挿入部３１と第２のガイド部３３を支持部材２１とメッシュシートＭの裏面との間に挿入することにより、メッシュシートＭにテンションを加えることができる。
【００３５】
このように、テンション付与部材３を支持部材２１に取り付けることにより、図１４に示すメッシュシートＭが緩んだ状態から、図１５に示すように、容易にメッシュシートＭにテンションを加えることができる。また、ガイド部３２と第２のガイド部３３により支持部材２１を挟み込むように取り付けることにより、ガイド部３２と第２のガイド部３３自体が固定手段となり、ネジなどの他の固定手段が不要になる。なお、本実施の形態においては、ネジや接着剤など他の固定手段を併用することも可能である。
【００３６】
勿論、本実施の形態においては、ガイド部３２および第２のガイド部３３は、支持部材２１の高さ方向の長さとほぼ同じ長さだけ、挿入部３１から下方に突出しているが、ガイド部３２および第２のガイド部３３の挿入部３１からの突出長さは、特に限定されることはなく、支持部材２１の高さの半分程度の長さや、それ以外の長さとすることもできる。また、図１４に示す支持部材２１は直線状に形成されているが、ガイド部３２および第２のガイド部３３がガイドされながら、支持部材２１に沿って移動できるものであれば、支持部材２１は湾曲していても構わない。
【符号の説明】
【００３７】
１、１１  椅子
２１、２１ａ、２１ｂ、２２ａ、２２ｂ  支持部材
２１Ｇ  溝
２１ｓ  側面
２３ａ、２３ｂ、２４  連結部材
３  テンション付与部材
３１  挿入部
３２  ガイド部
３３  第２のガイド部
Ｆ  固定手段
Ｌ１、Ｌ２  脚部
Ｍ  メッシュシート
Ｓ１  座面部
Ｓ２  背凭れ部
【図１】
2013094571.tif 000003
【図２】
2013094571.tif 000004
【図３】
2013094571.tif 000005
【図４】
2013094571.tif 000006
【図５】
2013094571.tif 000007
【図６】
2013094571.tif 000008
【図７】
2013094571.tif 000009
【図８】
2013094571.tif 000010
【図９】
2013094571.tif 000011
【図１０】
2013094571.tif 000012
【図１１】
2013094571.tif 000013
【図１２】
2013094571.tif 000014
【図１３】
2013094571.tif 000015
【図１４】
2013094571.tif 000016
【図１５】
2013094571.tif 000017
【図１６】
2013094571.tif 000018